(57)【要約】【課題】画像を見にくくすることなく、通信時間を短くするファクシミリ通信方法を提供する。【解決手段】送信側で画像を縮小して送信し、受信側で受信した画像を拡大して再生する画像通信方法であって、送信側で画像の縮小を間引きで行い、間引かれない画素の周囲の間引かれる画素のデータに所定の重みを付けて、間引かれない画素のデータに加算しておき、縮小データを送信し、受信側では、受信したデータ中、間引かれた画素を、その周囲の間引かれていない受信画素の平均をとることにより、間引かれた画素を再現し、画像を拡大して再生する。【選択図】      図５
2004248130.tif 000002
【特許請求の範囲】
【請求項１】
送信側では、画像を縮小して得られた画像データを、所定のファクシミリ通信手順に従い送信し、受信側では画像データを受信し、画像を拡大して再生する画像通信方法において、
送信側では画像データ中、間引かれる画素の情報を間引かれない画素に含ませるようにして画像を縮小し、受信側では受信した画像データより、送信側で間引かれた画素の情報を抽出し、間引かれた画素を再現して挿入することにより、画像を拡大することを特徴とするファクシミリ通信方法。
【請求項２】
前記送信側では、間引かれない画素の周囲の間引かれる画素データに所定の重みを付けて、間引かれない画素のデータに加算し、前記受信側では、受信した画像データ中、間引かれた画素を、その周囲の間引かれていない受信画素のデータの平均を取ることにより、間引かれた画素を再現し、画像を拡大して再生することを特徴とする請求項１記載のファクシミリ通信方法。
【発明の詳細な説明】
【０００１】
【発明の属する技術分野】
この発明は、送信側で画像を縮小して送信し、受信側で拡大して画像再生するファクシミリ通信方法に関する。
【０００２】
【従来の技術】
近年、ファクシミリ装置で通信される画像の解像度が上がって来ており、受信側で鮮明な原稿が再現出来るようになって来ている。しかし、解像度を増加（高く）させることは、画像データの量を増加させることになり、その分、通信時間がかかり、ひいては通信コストが上昇する問題がある。そこで、この問題を解決するために、従来、送信側で画像を縮小し、その縮小した画像データを送信することが提案されている（例えば、特許文献１参照）。
【０００３】
【特許文献１】
特開平８−１６７９９７号公報
【０００４】
【発明が解決しようとする課題】
上記した特許文献１に記載の技術のように、縮小した画像データを送信すると、画像データの量が減り、確かに通信時間が短くなるが、画像が縮小されており、受信側で再現したときに、画像が見にくくなる問題が生じる。
【０００５】
この発明は上記問題点に着目してなされたものであって、画像を見にくくすることなく通信時間を短くするファクシミリ通信方法提供することを目的としている。
【０００６】
【課題を解決するための手段】
この発明のファクシミリ通信方法は、送信側では、画像を縮小して得られた画像データを、所定のファクシミリ通信手順に従い送信し、受信側では画像データを受信し、画像を拡大して再生する画像通信方法において、送信側では画像データ中、間引かれる画素の情報を間引かれない画素に含ませるようにして画像を縮小し、受信側では受信した画像データより、送信側で間引かれた画素の情報を抽出し、間引かれた画素を再現して挿入することにより、画像を拡大する。
【０００７】
この発明のファクシミリ通信方法において、前記送信側では、間引かれない画素の周囲の間引かれる画素データに所定の重みを付けて、間引かれない画素のデータに加算し、前記受信側では、受信した画像データ中、間引かれた画素を、その周囲の間引かれていない受信画素のデータの平均を取ることにより、間引かれた画素を再現し、画像を拡大して再生することができる。
【０００８】
【発明の実施の形態】
以下、実施の形態により、この発明を更に詳細に説明する。図１は、この発明の実施形態通信端末置全体の概略構成を示すブロック図である。
【０００９】
この通信端末装置は、ファクシミリ機能とコピー機能とを備えたいわゆる複合機として構成したもので、ＭＰＵ１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、着信用ＣＯＤＥＣ７と、ＣＣＤラインイメージセンサ８と、画像処理部９と、表示部１０と、操作部１１と、読取用ＣＯＤＥＣ（符号化・復号器：Ｃｏｄｅｒ  ａｎｄ  Ｄｅｃｏｄｅｒ  ）１２と、イメージメモリ１３と、スキャナ機構制御部１４と、プリント用ＣＯＤＥＣ１５と、プリント用画像処理部１６と、ページメモリ１７と、プリンタエンジン１８と、システムバス１９と、イメージバス２１、２２とを備える。
【００１０】
ＭＰＵ１は、ＲＯＭ４に記憶するプログラムに従い、この装置を構成する各部を制御する機能を有する。ＮＣＵ２は、電話回線網（ＰＳＴＮ）との接続を制御すると共に、相手先の電話番号（ＦＡＸ番号を含む）に対応した選択（ダイヤル）信号を送出する機能及び呼出信号を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１１】
ＲＯＭ４は、この装置を制御するためのプログラムを記憶する。ＲＡＭ５は、ＭＰＵ１が処理するデータ等を一時的に記憶する。画像メモリ６は、受信した画像データやスキャナ７で読み取った画像データを記憶する。通信用ＣＯＤＥＣ７は、読み取った画像データを送信するためにＭＨ、ＭＲ、ＭＭＲ、ＪＢＩＧ方式等により符号化（エンコード）し、受信した画像データを復号（デコード）する。
【００１２】
ＣＣＤラインイメージセンサ８は、原稿を走査して、光／電変換して、原稿を読み取る。画像処理部９は、ＣＣＤラインイメージセンサ８で読み取った原稿画像データに対し、種々の画像処理を行う。
【００１３】
表示部１０は、装置からオペレータへの伝達情報等を表示する。操作部１１は、高解像度高速通信キー１１ａの他、スタートキー、テンキー、ＦＡＸキー、ＣＯＰＹキー、ワンタッチキー等の操作キースイッチを有する。高解像度高速通信キー１１ａは、読み取った画像データを縮小し、高速で送信し、受信側で元の画像を拡大再生する高解像度高速通信のモードを指定するときに、操作するキーである。読取用ＣＯＤＥＣ１２は、読み取り画像を符号化する。イメージメモリ１３は、読み取った画像データを画像処理のために記憶する。スキャナ機構制御部１４は、原稿を搬送するモータの駆動を制御する。プリント用ＣＯＤＥＣ１５は、プリントすべきデータを復号する。
【００１４】
プリント用画像処理部１６は、例えば受信した画像データ、読み取り画像データをプリントする場合の画像処理を制御する。ページメモリ１７は、プリントすべき画像データを記憶する。プリンタエンジン１８は、プリント用画像処理部１６で処理され、ページメモリ１７に格納されたプリントすべき画像データをプリントする。
【００１５】
画像処理部９は、図２に示すように、クロック信号発生回路３１と、ＡＦＥ（アナログフロントエンド）回路３２と、Ａ／Ｄ変換器３３と、シェーディング補正回路３４と、ガンマ補正回路３５と、２値化回路３６と、直／並（Ｓ／Ｐ）変換回路３７とから構成されている。
【００１６】
ＡＦＥ回路３２は、ＣＣＤラインイメージセンサ８からの画像データをアナログ増幅して出力する。Ａ／Ｄ変換器３３は、ＡＦＥ回路３２からのアナログ画像データを多値ディジタルデータに変換する。シェーディング補正回路３４は、原稿読み取り時のＡ／Ｄ変換器３３よりの多値ディジタル出力を内蔵のシェーディングＲＡＭに記憶してあるシェーディング補正データにより、シェーディング補正し、出力する。ガンマ補正回路３５は、例えば、所定のガンマ補正特性を有し、シェーディング補正後の画像データにガンマ補正を行う。ガンマ補正回路３５は、一般的に画質調整用に使用される。２値化回路３６は、所定のしきい値でガンマ補正回路３５の出力を２値化する。また、２値化回路３６は、画像データの送信時に縮小処理を実行する。２値化された画像データは、直／並変換回路３７で並列データに変換して、イメージバス２１に出力される。
【００１７】
２値化回路３６は、図３に示すように、ガンマ補正回路３５から入力される多値画像データを、シリアルに順次に受ける乗算部４１−１１  、４１−２１  、４１−３１  と、乗算部４１−３１  より、１ライン分の画像データを受けるラインメモリ４２と、このラインメモリ４２の記憶データをシリアルに順次に受ける乗算部４１−１２  、４１−２２  、４１−３２  と、乗算部４１−３２  より１ライン分の画像データを受けるラインメモリ４３と、このラインメモリ４３の記憶データをシリアルに順次に受ける乗算部４１−１３  、４１−２３  、４１−３３  と、９個の各乗算部４１−１１  、４１−２３  、４１−３３  の各演算出力を入力に受ける加算器４４と、この加算器４４の出力を被除数として入力に受ける割算器４５と、システムバスから入力される除数を割算器４５に入力するために記憶するレジスタ４６と、システムバスから入力される２値化のための閾値を記憶するレジスタ４７と、割算器４５の出力とレジスタ４７の閾値とを比較して、多値データを２値化し、２値画像データを出力する比較器４８とを備えている。
【００１８】
乗算部４１−１１  は、図４に示すように、入力画像データをラッチするラッチ回路５１と、システムからの縮小のためのマトリクス係数を記憶するレジスタ５２と、ラッチ回路５１の画像データと、レジスタ５２のマトリクス係数とを乗算する乗算器５３とを備えている。他の乗算部４１−２１  、４１−３１  、……、４１−３３  も、同様の構成である。
【００１９】
この実施形態複合機において、高解像度高速通信を行う場合は、読み取った原稿画像データを画像処理部９で縮小する。
ここで、画像処理部９において、画像データを縮小処理する場合について説明する。例えば、１２００ｄｐｉの画像を６００ｄｐｉの画像データに変換する場合を例をあげる。１２００ｄｐｉの画像データとして、図５の（ａ）に示す主走査方向にｋ（ｋ＝１〜５）、副走査方向にｌ（ｌ＝１〜５）の画像データを想定し、主走査方向、副走査方向とも１つおきに画像データを間引きし、６００ｄｐｉの画像データとして、図５の（ｂ）に示す主走査方向にｉ（ｉ＝１〜３）、副走査方向にｊ（ｊ＝１〜３）の画像データに変換する。図５の（ａ）のＤ（１、１）、Ｄ（３、１）、Ｄ（５、１）、……、Ｄ（５、５）の画像データが残され、その画像データの周囲の画像データが間引かれる。残される画像データは、図５の（ｂ）に示すようにｄ（１、１）、ｄ（２、１）、……、ｄ（３、３）の画像データであるが、図５の（ｂ）に示す間引き後の画像データは、残された元の画像データに間引かれた周囲の各画像データを含ませた（反映した）ものとする。
【００２０】
図５の（ｂ）の各画像データｄ（ｉ、ｊ）は、変換前の元の画像データに基づいて、次式より算出される。
【００２１】
2004248130.tif 000003
このｄ（ｉ、ｊ）は、残された元の画像データＤ（ｋ、ｌ）と、その周囲の各間引かれた画像データと、図５の（ｄ）に示す縮小マトリクス係数を乗算し、３２で除算したものである。
【００２２】
ガンマ補正回路３５より、多値画像データが２値化回路３６に入力され、図５の（ａ）に示す画像データＤ（３、３）が乗算部４１−２２  のラッチ回路５１にラッチされたタイミングには、この乗算部４１−２２  のレジスタ５２に、図５の（ｄ）に示す縮小マトリクス補正係数１６が記憶されており、乗算器５３で画像データＤ（３、３）と、マトリクス補正係数１６が乗算され、１６＊Ｄ（３、３）が出力され、加算器４４に入力される。また、このタイミングには、乗算部４１−１１  、４１−２１  、４１−３１  、４１−１２  、４１−３２  、４１−１３  、４１−２３  、４１−３３  の各ラッチ回路５１には、それぞれ画像データＤ（２、２）、Ｄ（３、２）、Ｄ（４、２）、Ｄ（２、３）、Ｄ（４、３）、Ｄ（２、４）、Ｄ（３、４）、Ｄ（４、４）がラッチされる。同時に、各乗算部の各レジスタ５２には、縮小マトリクス係数が１、４、１、４、４、１、４、１が記憶されており、各乗算部の乗算器５３で、各画像データと縮小マトリクス係数の乗算が行われ、各乗算部４１−１１  、４１−２１  、……、４１−３３  より、１＊Ｄ（２、２）、４＊Ｄ（３、２）、１＊Ｄ（４、２）、４＊Ｄ（２、３）、４＊Ｄ（４、３）、１＊Ｄ（２、４）、４＊Ｄ（３、４）、１＊Ｄ（４、４）が出力され、加算器４４に入力され、
１＊Ｄ（２、２）＋４＊Ｄ（３、２）＋１＊Ｄ（４、２）＋４＊Ｄ（２、３）＋１６＊Ｄ（３、３）＋４＊Ｄ（４、３）＋１＊Ｄ（２、４）＋４＊Ｄ（３、４）＋１＊Ｄ（４、４）が算出される。
【００２３】
加算器４４の出力は、割算器４５に入力され、割算器４５で加算器４４の出力を被除数とし、レジスタ４６の記憶値３２を除数として割算を行い、ｄ（２、２）を算出する。この割算器４５の出力ｄ（２、２）の多値データとして比較器４８に入力され、比較器４８ではレジスタ４７に記憶している閾値ｄｔｈと比較する。比較の結果、ｄ（２、２）がｄｔｈ以上であれば、２値データ「１」として出力する。
【００２４】
次に、例えば図５の（ａ）の画像データＤ（２、３）が乗算部４１−２２  にて演算されるタイミングでは、Ｏｕｔｐｕｔ  ｅｎａｂｌｅ信号が割算器４５に入力されず、割算器４５は動作せず、間引かれる。図５の（ａ）の画像データＤ（１、３）が乗算部４１−２２  にて演算されるタイミングでは、画像データＤ（１、３）の周囲の画像データにつき、上記画像データＤ（３、３）について、同様の演算が行われ、割算器４５はｄ（１、２）の画像データが出力され、比較器４８で閾値ｄｔｈとｄ（１、２）が比較され、画像データｄ（１、２）が閾値ｄｔｈ以上であれば、２値化データ「１」を出力する。同様にして、図５の（ｂ）に示す縮小処理多値画像データを得、これが更に２値化されたデータを図５の（ｃ）に示す。
【００２５】
この実施形態では、高解像度高速通信でファクシミリ送信されて来た画像データは、受信側でプリンタ用画像処理部１６にて拡大再生する。
【００２６】
この実施形態複合機のプリンタ用画像処理部１６には、図６に示す信号処理回路１６ａを備えている。この信号処理回路１６ａは、プリントすべき画像データの１画素データをラッチするラッチ回路６１と、次の１画素データをラッチするラッチ回路６２と、ラッチ回路６１の出力を受けて、１ライン分の画像データを記憶するラインメモリ６３と、このラインメモリ６３より出力される１画素データをラッチするラッチ回路６４と、次の１画素データをラッチするラッチ回路６５と、ラッチ回路６１と６２の出力を受けて演算する演算回路（１）６６と、この演算回路（１）６６の出力を記憶するラインメモリ６７と、ラッチ回路６１と６２と、６４と、６５の出力を受けて演算する演算回路（２）６８と、この演算回路（２）６８の出力を記憶するラインメモリ６９と、ラインメモリ６７とラインメモリ６９の出力を選択的に出力するマルチプレクサ７０とを備えている。
【００２７】
演算回路（１）６６は、図７に示すように、階調データを記憶する階調レジスタ８３と、ラッチ回路６１からの画素データ（ｉ、ｊ）と階調レジスタ８３の記憶内容とを入力に受けて乗算する乗算器８４と、システムからのデータを記憶するレジスタ８５と、ラッチ回路６１と６２から入力される画像データｄ（ｉ、ｊ）とｄ（ｉ−１、ｊ）とを加算する加算器８６と、レジスタ８５の記憶内容と加算器８６の出力とを入力に受けて加算器８６の出力をレジスタ８５の記憶内容で除算する除算器８７と、階調を記憶する階調レジスタ８８と、除算器８７の出力と階調レジスタ８８の記憶内容を受けて乗算する乗算器８９と、乗算器８４の出力と乗算器８９の出力を入力に受け、クロックＶｃｌｋの加えられるタイミングにいずれかを選択出力するマルチプレクサ９０と、システムバスからの閾値を記憶する閾値レジスタ９１と、この閾値レジスタ９１の出力とマルチプレクサ９０からの出力とを比較する比較器９２とを備えている。
【００２８】
演算回路（２）６８は、図８に示すように、ラッチ回路６１、６２からの画素データｄｒ（ｉ、ｊ）とｄｒ（ｉ−１、ｊ）とを入力に受けて加算する加算器１０１と、システムからの定数を記憶するレジスタ１０２と、加算器１０１の出力とレジスタ１０２の出力とを入力に受け、加算器１０１の出力をレジスタ１０２の出力で除算する除算器１０３と、階調を記憶する階調レジスタ１０４と、除算器１３の出力と階調レジスタ１０４の記憶内容とを入力に受けて乗算する乗算器１０５と、除算器１０５の出力を入力の一端に受けるマルチプレクサ１０６と、システムからの２値化のための閾値を記憶する閾値レジスタ１０７と、マルチプレクサ１０６の出力と閾値レジスタ１０７の閾値とを比較する比較器１０８とを備えている。
【００２９】
演算回路（２）６８は、更に、図８に示すように、ラッチ回路６１、６２、６４、６５からの画素データｄｒ（ｉ、ｊ）、ｄｒ（ｉ−１、ｊ）、ｄｒ（ｉ、ｊ−１）、ｄｒ（ｉ−１、ｊ−１）を入力に受けて加算する加算器１０９と、システムからの定数を記憶するレジスタ１１０と、加算器１０９の出力とレジスタ１１０の記憶内容とを入力に受け、加算器１０９の出力をレジスタ１１０の記憶内容で除算する除算器１１１と、階調レジスタ１１２と、除算器１１１の出力と階調レジスタ１１２の出力とを入力に受けて乗算する乗算器１１３とを備えている。乗算器１１３の出力もマルチプレクサ１０６に入力されている。
【００３０】
ここで、受信時に、プリント用画像処理部１６において、６００ｄｐｉの受信画像データを１２００ｄｐｉの画像データに拡大変換する場合について説明する。図９の（ａ）に示す３×３の受信した２値化データ、図９の（ｄ）に示す３×３は、２値化データを多値化したデータで、この受信データを元に、図９の（ｂ）に示す５×５の多値画像データに、更に図９の（ｃ）の２値化データに変換する。図９の（ｂ）の各画素データＤｒ（ｋ、ｌ）は、それぞれ次式により、算出する。
【００３１】
（１）ｋ：ｏｄｄ（奇数）、ｌ：ｏｄｄの場合
Ｄｒ（ｋ、ｌ）＝ｎ＊ｄｒ（ｉ、ｊ）  ただしｎ階調
（２）ｋ：ｅｖｅｎ（偶数）、ｌ：ｏｄｄの場合
Ｄｒ（ｋ、ｌ）＝ｎ＊｛ｄｒ（ｉ−１、ｊ）＋ｄｒ（ｉ、ｊ）｝／２
（３）ｋ：ｏｄｄ、ｌ：ｅｖｅｎの場合
Ｄｒ（ｋ、ｌ）＝ｎ＊｛ｄｒ（ｉ、ｊ−１）＋ｄｒ（ｉ、ｊ）｝／２
（４）ｋ：ｅｖｅｎ、ｌ：ｅｖｅｎの場合
Ｄｒ（ｋ、ｌ）＝ｎ＊｛ｄｒ（ｉ−１、ｊ−１）＋ｄｒ（ｉ、ｊ−１）＋ｄｒ（ｉ−１、ｊ）＋ｄｒ（ｉ、ｊ）｝／４
上記（１）のＤｒ（ｋ、ｌ）＝ｎ＊ｄｒ（ｉ、ｊ）の計算は、図６のラッチ回路６１の出力ｄｒ（ｉ、ｊ）が、演算回路（１）６６の乗算器８４に入力され、階調レジスタ８３に記憶されている階調ｎが乗算器８４で乗算されることによって実行される。
【００３２】
上記（２）のＤｒ（ｋ、ｌ）＝ｎ＊｛ｄｒ（ｉ−１、ｊ）＋ｄｒ（ｉ、ｊ）｝／２は、図６のラッチ回路６１の出力ｄｒ（ｉ、ｊ）と、ラッチ回路６２の出力ｄｒ（ｉ−１、ｊ）が演算回路（１）６６の図７に示す加算器８６で加算され、この加算器８６の出力が、レジスタ８５に記憶される定数２によって除算器８７で除算され、その出力が乗算器８９に入力され、階調レジスタ８８に記憶される階調ｎが乗算器８９で乗算されることによって実行される。
【００３３】
上記（３）のＤｒ（ｋ、ｌ）＝ｎ＊｛ｄｒ（ｉ、ｊ−１）＋ｄｒ（ｉ、ｊ）｝／２は、図６のラッチ回路６１の出力ｄｒ（ｉ、ｊ）と、ラッチ回路６４の出力ｄｒ（ｉ、ｊ−１）が演算回路（２）６８の図８に示す加算器１０１で加算され、この加算器１０１の出力がレジスタ１０２に記憶される定数２によって除算器１０３で除算され、その出力が乗算器１０５に入力され、階調レジスタ１０４に記憶される階調ｎが乗算器１０５で乗算されることによっで実行される。
【００３４】
上記（４）のＤｒ（ｋ、ｌ）＝ｎ＊｛ｄｒ（ｉ−１、ｊ−１）＋ｄｒ（ｉ、ｊ−１）＋ｄｒ（ｉ−１、ｊ）＋ｄｒ（ｉ、ｊ）｝／４は、図６のラッチ回路６１の出力ｄｒ（ｉ、ｊ）と、ラッチ回路６２の出力ｄｒ（ｉ−１、ｊ）と、ラッチ回路６４の出力ｄｒ（ｉ、ｊ−１）と、ラッチ回路６５の出力ｄｒ（ｉ−１、ｊ−１）が演算回路（２）６８の図８に示す加算器１０９で加算され、この加算器１０９の出力がレジスタ１１０に記憶される定数４によって除算器１１１で除算され、その出力が乗算器１１３に入力され、階調レジスタ１１２に記憶される階調ｎが乗算器１１３で乗算されることによっで実行される。
【００３５】
上記乗算器８４、８９の出力はマルチプレクサ９０を経て、乗算器１０５、１１３の出力はマルチプレクサ１０６を経て、それぞれ時間順次に出力される。
【００３６】
上記に基づいて、図９の（ｂ）の各画素を計算すると、Ｄｒ（１、１）＝ｎ＊ｄｒ（１、１）、Ｄｒ（３、１）＝ｎ＊ｄｒ（３、１）、Ｄｒ（５、１）＝ｎ＊ｄｒ（５、１）、Ｄｒ（１、３）＝ｎ＊ｄｒ（１、３）、Ｄｒ（３、３）＝ｎ＊ｎ＊ｄｒ（３、３）、Ｄｒ（５、３）＝ｎ＊ｄｒ（５、３）、Ｄｒ（１、５）＝ｎ＊ｄｒ（１、５）、Ｄｒ（３、５）＝ｎ＊ｄｒ（３、５）、Ｄｒ（５、５）＝ｎ＊ｄｒ（５、５）となる。
【００３７】
また、
Ｄｒ（２、１）＝ｎ＊｛ｄｒ（１、１）＋ｄｒ（３、１）｝／２
Ｄｒ（４、１）＝ｎ＊｛ｄｒ（３、１）＋ｄｒ（５、１）｝／２
Ｄｒ（２、３）＝ｎ＊｛ｄｒ（１、３）＋ｄｒ（３、３）｝／２
Ｄｒ（４、３）＝ｎ＊｛ｄｒ（３、３）＋ｄｒ（５、３）｝／２
Ｄｒ（２、５）＝ｎ＊｛ｄｒ（１、５）＋ｄｒ（３、５）｝／２
Ｄｒ（４、５）＝ｎ＊｛ｄｒ（３、５）＋ｄｒ（５、５）｝／２
また、
Ｄｒ（１、２）＝ｎ＊｛ｄｒ（１、１）＋ｄｒ（１、３）｝／２
Ｄｒ（３、２）＝ｎ＊｛ｄｒ（３、１）＋ｄｒ（３、３）｝／２
Ｄｒ（５、２）＝ｎ＊｛ｄｒ（５、１）＋ｄｒ（５、３）｝／２
Ｄｒ（１、４）＝ｎ＊｛ｄｒ（１、３）＋ｄｒ（１、５）｝／２
Ｄｒ（３、４）＝ｎ＊｛ｄｒ（３、３）＋ｄｒ（３、５）｝／２
また、
2004248130.tif 000004
以上のようにして求めた図９の（ｂ）の各画像データＤ（ｋ、ｌ）は、Ｄｒ（ｋ、ｌ）≦ｄｒｔｈの場合に、Ｄ（ｋ、ｌ）＝「０」とし、Ｄｒ（ｋ、ｌ）＞ｄｒｔｈの場合に、Ｄｒ（ｋ、ｌ）＝「１」とし、２値化変換する。得られた２値化データを図９の（ｃ）に示す。
【００３８】
この２値化処理は、図７のマルチプレクサ９０より出力される多値の各Ｄｒ（ｋ、ｌ）が比較器９２で閾値レジスタ９１に記憶されている閾値ｄｒｔｈと比較し、２値化出力を得、ラインメモリ６７に記憶することにより、またマルチプレクサ１０６より出力される多値の各Ｄｒ（ｋ、ｌ）が比較器１０８で閾値レジスタ１０７に記憶されている閾値ｄｒｔｈと比較し、２値化出力を得、ラインメモリ６９に記憶することにより、実行される。
【００３９】
次に、上記実施形態複合機をそれぞれ有する発信元から受信先へ、画像データをファクシミリ送信する場合の両機の処理動作を図１０、図１１、図１２に示すフロー図を参照して説明する。図１０〜図１２において、それぞれ左側に送信側の、右側に受信側のフロー図を示している。
【００４０】
送信側において、先ず、ステップＳＴ１において原稿をセットする。次に、ステップＳＴ２へ移行する。ステップＳＴ２においては、操作部１０の高解像度高速通信キー１１ａ、ワンタッチキー等を操作し、高解像度高速通信モード、相手先等を入力する。続いて、ステップＳＴ３へ移行する。ステップＳＴ３においては、スタートキーオンか否かを判定する。スタートキーがオンされると、ステップＳＴ４へ移行する。
【００４１】
ステップＳＴ４においては、ＮＣＵ１を回線２３に接続する。次に、ステップＳＴ５へ移行する。ステップＳＴ５においては、相手先のダイヤル信号を送信する。そして、次のステップＳＴ６において、タイマＴをスタートさせる。続いて、ステップＳＴ７へ移行する。一方、この時点では、相手側において、呼出信号有りか否か判定している（ステップＳＴ３１）。送信側からの呼出を受信すると、ステップＳＴ３２へ移行する。そして、ＮＣＵ１を回線２３に接続する。
【００４２】
送信側では、ステップＳＴ７において、相手側から応答有りか否かを判定する。相手側から応答があれば、ステップＳＴ１０へ移行する。一方、応答がなければ、ステップＳＴ８へ移行する。ステップＳＴ８においては、タイマＴがタイムアップか否かを判定する。タイムアップでない場合は、ステップＳＴ７へ戻り、相手側からの応答を待機する。一方、タイムアップであると、ステップＳＴ９へ移行する。ステップＳＴ７においては、回線を解放する。
【００４３】
ステップＳＴ１０においては、相手側にＣＮＧ信号を送信する。相手側では、ＣＮＧ信号を受信すると、ＣＥＤ、ＮＳＦ、ＤＩＳ、ＣＳＩの各信号を返送する（ステップＳＴ３３）。送信側では、ステップＳＴ１０に続く、ステップＳＴ１１において、ＮＳＦ信号、ＤＩＳ信号、ＣＳＩ信号を受信する。次に、ステップＳＴ１２へ移行する。ステップＳＴ１２においては、高解像度高速通信モードか否かを判定する。高解像度高速通信モードが設定されていない場合は、送信すべき画像データを通常送信する。一方、高解像度高速通信モードが設定されていると、ステップＳＴ１３へ移行する。
【００４４】
ステップＳＴ１３においては、ＮＳＦ信号に高解像度高速通信能力のビット有りか否かを判定する。高解像度高速通信能力のビットなしの場合は、通常の送信を実行する。一方、高解像度高速通信能力のビット有りの場合は、ステップＳＴ１４へ移行する。ステップＳＴ１４においては、ＮＳＳ信号に高解像度高速通信モードのビットをセットする。次に、ステップＳＴ１５へ移行する。ステップＳＴ１５においては、ＮＳＳ、ＤＣＳ、ＴＳＩの各信号を送信する。そして、ステップＳＴ１６へ移行する。受信側では、ＮＳＳ、ＤＣＳ、ＴＳＩの各信号を受信する（ステップＳＴ３４）と、ステップＳＴ３５へ移行する。
【００４５】
送信側では、ステップＳＴ１６において、図５に示す縮小処理を行った高解像度高速通信の画像データを送信する。次に、ステップＳＴ１７へ移行する。ステップＳＴ１７においては、全頁送信か否かを判定する。全頁送信でない場合は、ステップＳＴ２２へ移行する。ステップＳＴ２２においては、ＭＰＳ信号を送信する。そして、ステップＳＴ１６へ戻る。ステップＳＴ１８においては、ＥＯＰ信号を送信する。
【００４６】
受信側では、ステップＳＴ３６において、高解像度高速通信の画像データを受信する。受信側では、図９に示す拡大処理を行い、送信前の画像データに再生する。次に、ステップＳＴ３７へ移行する。ステップＳＴ３７においては、ポストメッセージを受信する。そして、ステップＳＴ３８へ移行する。ステップＳＴ３８においては、ポストメッセージを判定する。ＭＰＳの場合は、ステップＳＴ３６へ戻る。一方、ＥＯＰの場合には、ステップＳＴ３９へ移行する。ステップＳＴ３９においては、ＭＣＦ信号を送信する。
【００４７】
送信側では、ステップＳＴ１９において、ＭＣＦ受信か否か判定する。ＭＣＦ受信であると、ステップＳＴ２０へ移行する。ステップＳＴ２０においては、ＤＣＮ信号を送信する。そして、ステップＳＴ２１へ移行し、ＮＣＵ１を回線２３から解放する。受信側では、ステップＳＴ４０において、ＤＣＮ受信か否か判定する。ＤＣＮ受信の場合、ステップＳＴ４１へ移行する。ステップＳＴ４１においては、ＮＣＵ１を回線２３から解放する。
【００４８】
なお、上記実施形態において、縮小、拡大に３×３のマトリクスを用いているが、この発明ではこれに限定されるものではなく、マトリクスが大きい程、画質の劣化が少なくできる。最も回路規模は増大するので、実用的には適宜なマトリクスを使用すれば良い。
【００４９】
【発明の効果】
この発明によれば、単に画像データを間引くことにより縮小するのではなく、間引かれる画素の情報を間引かれる画素の情報に加味している。従って、受信側では、受信した画像データ、すなわち間引かれない画素データに基づき、送信側で間引かれた画素を、ある程度再現できるため、拡大した画像の画質の劣化がそれほど大きくならない。従って、高解像度を維持しつつ、通信時間の短縮をはかれる利点を有する。
【図面の簡単な説明】
【図１】この発明の一実施形態である複合機の全体構成を示すブロック図である。
【図２】同実施形態複合機の画像処理部の構成を示すブロック図である。
【図３】同画像処理部の２値化回路の構成を示すブロック図である。
【図４】同２値化回路の乗算部の構成を示すブロック図である。
【図５】上記画像処理部における画像データの縮小処理を説明する図である。
【図６】上記実施形態複合機のプリント用画像処理部の信号変換回路の回路構成を示すブロック図である。
【図７】同信号変換回路を構成する演算回路（１）の構成を示すブロック図である。
【図８】同信号変換回路を構成する演算回路（２）の構成を示すブロック図である。
【図９】上記プリント用画像処理部における画像データの拡大処理を説明する図である。
【図１０】送信側の複合機から受信側の複合機に画像データを送信する場合の送信側及び受信側の複合機の処理を説明するフロー図である。
【図１１】図１０とともに、送信側の複合機から受信側の複合機に画像データを送信する場合の送信側及び受信側の複合機の処理を説明するフロー図である。
【図１２】図１０、図１１とともに、送信側の複合機から受信側の複合機に画像データを送信する場合の送信側及び受信側の複合機の処理を説明するフロー図である。
【符号の説明】
１                            ＭＰＵ
２                            ＮＣＵ
９                            画像処理部
１１                          操作部
１６                          プリント用画像処理部
３６                          ２値化回路
４１−１１  、４１−    、４１−３３    乗算部
４２、４３                    ラインメモリ
４４                          加算器
４５                          割算器
４６、４７                    レジスタ
４８                          比較器
６１、６２、６４、６５        ラッチ回路
６３、６７、６９              ラインメモリ
６６                          演算回路（１）
６８                          演算回路（２）
７０                          マルチプレクサ
【図１】
2004248130.tif 000005
【図２】
2004248130.tif 000006
【図３】
2004248130.tif 000007
【図４】
2004248130.tif 000008
【図５】
2004248130.tif 000009
【図６】
2004248130.tif 000010
【図７】
2004248130.tif 000011
【図８】
2004248130.tif 000012
【図９】
2004248130.tif 000013
【図１０】
2004248130.tif 000014
【図１１】
2004248130.tif 000015
【図１２】
2004248130.tif 000016